(57)【要約】【課題】表示不要のスライドを表示させないようにすることで発表者の負担を減らし発表を円滑に行えるようにしたプレゼンテーション装置を提供すること。【解決手段】端末３１において、表示部３３は、格納部３２に格納されたスライドの１つを表示画面に表示し、計測部３５は、スライドが表示画面において継続して表示されている表示時間を求める。また、表示部３３は、特定の命令を受けた場合に、表示画面に表示するスライドを次のスライドに切り替えさせる。時間条件送信部３６は、表示画面に表示されたスライドについて、表示時間が、予め定められたしきい値が示す時間に達した場合に、スライドのデータを通信部３４へ渡し、通信部３４はスライドのデータを情報端末機器へ送信する。【選択図】      図１０
2005331960.tif 000002
【特許請求の範囲】
【請求項１】
スライドを表示する情報端末機器へ、複数のスライドのデータを送信するプレゼンテーション装置において、
複数のスライドのデータを格納する手段と、
前記スライドの１つを表示画面に表示する手段と、
特定の命令を受けた場合に、前記表示画面に表示するスライドを次のスライドに切り替えさせる切替手段と、
前記スライドが前記表示画面において継続して表示されている表示時間を求める手段と、
前記表示画面に表示された前記スライドについて、前記表示時間が、予め定められたしきい値が示す時間に達した場合に、該スライドのデータを前記情報端末機器へ送信する送信手段とを備えたことを特徴とするプレゼンテーション装置。
【請求項２】
前記切替手段は、第１の連続表示命令を受けている間、現在前記表示画面に表示されているスライドの次に表示するスライドを、スライド１枚につき前記しきい値が示す時間間隔より短い時間間隔で、連続的に前記表示画面に表示させることを特徴とする請求項１に記載のプレゼンテーション装置。
【請求項３】
前記切替手段は、第２の連続表示命令を受けている間、現在前記表示画面に表示されているスライドの前に表示したスライドを、スライド１枚につき前記しきい値が示す時間間隔より短い時間間隔で、連続的に前記表示画面に表示させることを特徴とする請求項１または２に記載のプレゼンテーション装置。
【請求項４】
スライドを表示する情報端末機器へ、複数のスライドのデータを送信するプレゼンテーション装置におけるプレゼンテーション支援方法において、
複数のスライドのデータを格納するステップと、
前記スライドの１つを表示画面に表示するステップと、
特定の命令を受けた場合に、前記表示画面に表示するスライドを次のスライドに切り替えさせるステップと、
前記スライドが前記表示画面において継続して表示されている表示時間を求めるステップと、
前記表示画面に表示された前記スライドについて、前記表示時間が、予め定められたしきい値が示す時間に達した場合に、該スライドのデータを前記情報端末機器へ送信するステップとを有することを特徴とするプレゼンテーション支援方法。
【請求項５】
スライドを表示する情報端末機器へ、複数のスライドのデータを送信するプレゼンテーション装置としてコンピュータを機能させるためのプログラムであって、
複数のスライドのデータを格納するステップと、
前記スライドの１つを表示画面に表示するステップと、
特定の命令を受けた場合に、前記表示画面に表示するスライドを次のスライドに切り替えさせるステップと、
前記スライドが前記表示画面において継続して表示されている表示時間を求めるステップと、
前記表示画面に表示された前記スライドについて、前記表示時間が、予め定められたしきい値が示す時間に達した場合に、該スライドのデータを前記情報端末機器へ送信するステップとをコンピュータに実行させるためのプログラム。
【発明の詳細な説明】
【技術分野】
【０００１】
本発明は、スライドによるプレゼンテーションを支援するプレゼンテーション装置及びプレゼンテーション支援方法に関する。
【背景技術】
【０００２】
従来、プレゼンテーションを目的に使用される情報機器の使用方法においては、例えばプレゼンテーションソフトのパワーポイント（登録商標）では表示中のスライドの前後に位置するページではない離れた位置にあるスライドを表示する必要があるときは、そのスライドが見つかるまで逐次確認をしながらページ送りをする。表示後また元のスライドにもどるときには、発表者は元のスライドが見つかるまで逐次ページを戻す操作を行うのが普通である。
【０００３】
また、発表者が表示中のスライドに対して前後に位置するページではない離れた位置にあるスライドを表示するために、例えば会議支援ソフトのＳＰＡＮｗｏｒｋｓ ２０００（登録商標）のプレゼンテーション機能が持つ次に示すような方法も行われている。表示したい離れた位置にあるスライドが見つかるまで逐次確認しながらページをめくる操作を行うときに、そのスライドをプロジェクターがすでに記憶していたときは、単にそのスライドを表示させるコマンドを送信する。記憶していないときは表示すべきスライドをプロジェクターへ送信するとともに表示をする。
【発明の開示】
【発明が解決しようとする課題】
【０００４】
しかしながら、上述したような従来の機器では、発表者がスライドを逐次空送りしながら離れた位置にある別のスライドを表示した後で、再び元のスライドに戻るときは、先ほど送ったスライドを再び逆方向に逐次戻してゆく必要がある。それぞれのスライドの位置が離れている場合には、この戻し作業のために発表者の負担が増え、全体として発表に費やす時間も増えてしまう。また、空送りするような表示する必要のないスライドを繰る度に、または表示の指示をするコマンドを送信する度に、プロジェクターなどの機器への通信トラフィックが発生する。機器との通信手段に通信速度が遅いものを使用している場合には、所定のスライドが表示されるまでにかかる時間が長くなり発表の進行に支障を生ずる。
【０００５】
本発明は、上記事情を考慮してなされたもので、プロジェクター等の情報端末機器へ表示させる必要のないスライドの表示を省くようにすることで、発表者の負担を減らし、加えて発表を円滑に行えるようにしたプレゼンテーション装置及びプレゼンテーション支援方法を提供することを目的とする。
【課題を解決するための手段】
【０００６】
本発明は、スライドを表示する情報端末機器へ、複数のスライドのデータを送信するプレゼンテーション装置において、複数のスライドのデータを格納する手段と、前記スライドのデータを所定の順番で前記情報端末機器へ送信する手段と、前記情報端末機器へ送信された前記スライドの各々が前記情報端末機器において表示された表示時間を求める手段と、前記情報端末機器に送信されたスライドの各々について、少なくとも当該スライドのデータが前記情報端末機器に送信された順番を示す情報と、当該スライドについて求められた前記表示時間を示す情報とを対応付けて記憶する記憶手段と、特定の命令を受けた場合に、前記記憶手段に記憶された情報に基づいて、予め定められたしきい値が示す時間以上の表示時間を示す情報を持つスライドを１つ選択し、選択したスライドのデータを前記情報端末機器へ送信させる制御手段とを備えたことを特徴とする。
【０００７】
本発明によれば、発表者が発表する際に、以前に所定のしきい値が示す時間以上表示されたスライドのうちから選択したもののみを表示させることができる。発表者は、発表に必要がないとみなされるスライドを空送りする、あるいは空送りしたスライドを戻すといった操作が不要となり、少ない操作で、聴衆者へ見せたいスライドを表示させることができる。
【０００８】
また、本発明は、スライドを表示する情報端末機器へ、複数のスライドのデータを送信するプレゼンテーション装置において、複数のスライドのデータを格納する手段と、前記スライドのデータを所定の順番で前記情報端末機器へ送信する手段と、前記情報端末機器へ送信された前記スライドの各々について発表者により音声によって発表がなされたか否かを判断する手段と、前記情報端末機器に送信されたスライドの各々について、少なくとも当該スライドのデータが前記情報端末機器に送信された順番を示す情報と、当該スライドについて発表がなされたと判断されたか否かを示す情報とを対応付けて記憶する記憶手段と、特定の命令を受けた場合に、前記記憶手段に記憶された情報に基づいて、発表がなされたと判断されたスライドを１つ選択し、選択したスライドのデータを前記情報端末機器へ送信させる制御手段とを備えたことを特徴とする。
【０００９】
本発明によれば、過去に発表者の音声による発表がなされたと判断されたスライドのうちから選択したもののみを表示させることができる。発表者は、発表に必要がないとみなされるスライドを空送りする、あるいは空送りしたスライドを戻すといった操作が不要となり、少ない操作で、聴衆者へ見せたいスライドを表示させることができる。
【００１０】
また、本発明は、スライドを表示する情報端末機器へ、複数のスライドのデータを送信するプレゼンテーション装置において、複数のスライドのデータを格納する手段と、前記スライドの１つを表示画面に表示する手段と、特定の命令を受けた場合に、前記表示画面に表示するスライドを次のスライドに切り替えさせる切替手段と、前記スライドが前記表示画面において継続して表示されている表示時間を求める手段と、前記表示画面に表示された前記スライドについて、前記表示時間が、予め定められたしきい値が示す時間に達した場合に、該スライドのデータを前記情報端末機器へ送信する送信手段とを備えたことを特徴とする。
【００１１】
本発明によれば、プレゼンテーション装置の表示画面において連続的なページめくりを行ったときの、所定のしきい値が示す時間よりも短い時間しか表示されなかったスライドは情報端末機器へ送信されない。そうすると所定のしきい値以上の時間表示されたスライド、つまり発表に用いられるとみなされるスライドのみが情報端末機器へ送信される。よって通信データ量が減り、所望のスライドの表示までにかかる時間を短縮させることができる。
【００１２】
また、発表者は、例えばページめくり操作などによって、プレゼンテーション装置の表示画面に、聴衆者へ見せたいスライドのみを所定のしきい値が示す時間以上の期間表示させておくことによって、所望のスライドのみを聴衆者へ見せるようにすることができる。
【００１３】
なお、装置に係る本発明は方法に係る発明としても成立し、方法に係る本発明は装置に係る発明としても成立する。また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読取り可能な記録媒体としても成立する。
【発明の効果】
【００１４】
本発明によれば、表示をする必要のないスライドを表示しないようにすることで、発表者の負担を減らし、発表を円滑に行えるプレゼンテーション装置を提供することができる。
【発明を実施するための最良の形態】
【００１５】
以下、図面を参照しながら発明の実施の形態を説明する。
【００１６】
（第１の実施形態）
図１に、本発明の第１の実施形態に係る端末１１の構成例を示す。
【００１７】
図１に示されるように、本実施形態の端末１１は、格納部１２、表示部１３、通信部１４、計測部１５、表示時間記憶部１６、時間条件選択表示部１７を有する。
【００１８】
端末１１は本発明の実施の形態に係るプレゼンテーション装置として使用するもので、例えばノートパソコンやＰＤＡが代表的である。端末１１は発表の際に発表者がプロジェクターやＣＲＴなどの表示装置に表示される情報を操作できる情報機器であればよいので、ここに挙げたものに限定されるものではない。
【００１９】
格納部１２は、スライドのデータを格納する。本実施形態では、予めプロジェクター等に表示する順番を定められた一連の複数のスライドデータが格納されているものとして説明する。
【００２０】
表示部１３は、例えば発表者から送られてくるページめくりの指示などに応じて、次に表示すべきスライドデータを格納部１２から読み出し、通信部１４へ送信する。さらに計測部１５へ、特定のスライドが表示装置に表示され続けている時間である「表示時間」の計測要求を行う。加えて表示時間記憶部１６へ、通信部１４宛てに送信したスライドを識別する情報（以下、スライド名とする）を入力する。
【００２１】
通信部１４は、スライドの表示を行う他の情報端末機器、例えばプロジェクター等（図示せず）へ、表示部１３から受け取ったスライドのデータを送信する。通信手段としては、例えば、ＶＧＡケーブル、ＵＳＢケーブル等の有線によるものや、あるいは８０２．１１ｂといった通信規格による無線ＬＡＮ、主に小規模無線通信に使用されるＢｌｕｅｔｏｏｔｈ、赤外線を使用したＩｒＤＡ(Infrared Data Association)等の無線による通信手段が用いられる。
【００２２】
計測部１５は、スライドが表示され続けていた時間を計測する。スライドが表示されてから次のスライドが表示されるまでの「表示時間」を計測する方法としては、例えば、あるスライドについて、前述した表示部１３からの計測要求があってから、次のスライドについての計測要求があるまでの経過時間を計測する方法である。そしてこの計測結果を、当該あるスライドの表示時間とみなすのである。計測した表示時間は、表示時間記憶部１６へ送信される。
【００２３】
表示時間記憶部１６は、計測部１５が計測した表示時間を示す情報（例えば、秒を単位とする数値）と、表示部１３が入力したスライド名と、表示した順番（ここでは、表示部１３からスライド名が入力された順番とする）を示す情報（以下、表示番号とする）とを記憶する。なお、表示時間を示す情報を記憶する代わりに、計測時間が予め設定したしきい値以上の時間であったか否かを示すフラグ情報を記憶する方法も可能である。
【００２４】
図２に、表示時間記憶部１６の構成例を示す。図２に示されるように、表示時間記憶部１６は、表示番号、スライド名、表示時間を項目とする表示時間表１６１を保持する。また、表示時間記憶部１６は、表示時間表１６１に保持した情報を所定の条件により検索する検索部１６２を持つ。
【００２５】
なお、表示時間表１６１の作成の方法では、表示した全てのスライドに関する情報を記憶する代わりに、あるしきい値時間以上表示したスライドに関する情報のみを記憶する方法も可能である。この場合には、表示時間表１６１において表示時間の情報を省略してもよい。
【００２６】
また、表示時間記憶部１６は、時間条件選択表示部１７からの要求に応じて検索部１６２により表示時間表１６１から送信すべきスライドを求める。こうして求めたスライドについては、表示部１３に対し表示要求をする。
【００２７】
時間条件選択表示部１７は、表示時間に応じて表示するスライドを選択する機能を持つ。例えば発表者からのしきい値以上の時間表示された実績のあるスライドのみを対象とするページめくりの指示があったとき、あるしきい値以上の時間表示された、すなわち計測手段１５によってしきい値以上の表示時間が計測されたスライドのうち、現在表示中のスライドからみて以前の直近のスライド、あるいは以後の直近のスライドを、表示時間記憶部１６へ表示するよう要求する。
【００２８】
なお、この時間を示すしきい値は、発表者が入力することにより、自由に設定変更ができることが望ましい。
【００２９】
また、しきい値に相当する時間を自動的に測定する方法も可能である。例えば、端末１１にしきい値の測定をするための動作状態を設け、発表者は、例えばマウスで「次ページのスライドを表示する命令」に対応するボタンをクリックしながら発表の時と同じように一定のリズムで何枚か連続してページめくりを行う。計測部１５はその間ページめくりに要する時間間隔を計測し、合計表示時間を延べページ表示枚数で割る。するとこの値がページめくりに要する時間間隔の平均値となる。よってこの値を基に先に述べたしきい値を決定すればよい。しきい値の設定後は、発表者はしきい値測定を行う動作状態を解除し、通常の動作状態で発表を行う。
【００３０】
また、上記のしきい値の設定は発表者が行うもの、あるいは自動で設定されるもの、または両方の設定が可能なもののどれであってもかまわない。
【００３１】
図３に、第１の実施形態におけるスライドの送信から情報の記憶までの手順の一例を示す。この手順は、表示されるスライドのそれぞれについて行われる。まず次に表示すべきスライドを通信部１４から他の情報端末機器へ送信する（ステップＳ１）。次に計測部１５は、この送信を契機として現在まで表示されていたスライドの表示時間を求め（ステップＳ２）、表示時間記憶部１６に、求めた表示時間を示す情報とスライド名および表示番号とを対応付けて記憶するように指示し、これらの情報を記憶させる（ステップＳ３）。
【００３２】
ここでは、表示時間の測定やその情報の記憶は、各スライドが、端末から他の情報機器端末へ最初に送信・表示されたときに行うものとしている。発表の中で同じスライドが複数回表示されるような場合には、スライドが他の情報機器端末へ送信要求や表示要求がされるごとに、表示時間の測定を行いすでに記憶した情報の更新を行うようにしてもよい。例えば、表示時間がそれまで記憶されている値より長くなった場合にのみ更新するなどの方法が考えられる。このようにすると、決まった流れで行った発表だけではなく、質疑応答などの実際の発表の流れに即した情報も反映することが可能となる。
【００３３】
表示部１３に対するページめくりの指示や、時間条件選択表示部１７に対するしきい値が示す時間以上の期間表示されたスライドのみを対象とするページめくりの指示などは、例えば所定の操作を組み合わせることで、キーボードやマウスを操作して容易に与えることができる。
【００３４】
例えば、キーボードの入力では、１枚ずつのページめくりの指示の例として、「上矢印キー」を「前ページのスライドを表示する命令（以下、前スライド表示命令）」、「下矢印キー」を「次ページのスライドを表示する命令（以下、次スライド表示命令）」にそれぞれ対応させることができる。しきい値が示す時間以上の期間表示されたスライドのみを対象とするページめくりの指示の例として、「シフトキー」と「上矢印キー」の同時押下を「現在表示中のスライドより以前にしきい値が示す時間以上の期間表示されたスライドのうちで一番新しいものを表示する命令（以下、第１のスキップ表示命令）」に対応させることができる。そうすれば、発表者が「上矢印キー」または「下矢印キー」を押下した場合には、前または次のページのスライドが表示され、一方、発表者が「シフトキー」と「上矢印キー」を同時に押下した場合には、過去にしきい値が示す時間以上の期間表示されたスライドのうちで一番新しいものが表示されるようにすることができる。このとき過去にしきい値が示す時間以上の期間表示されたスライドがあれば、表示時間がしきい値が示す時間よりも短い時間の間だけ表示されていたスライドの表示は省かれる。
【００３５】
これに加えて、例えば「シフトキー」と「下矢印キー」の同時押下を「現在表示中のスライドより以降の順番で既にしきい値が示す時間以上の期間表示されたスライドのうちで、一番古いものを表示する命令（以下、第２のスキップ表示命令）」に対応させることもできる。そうすれば、発表者が「シフトキー」と「下矢印キー」を同時に押下したことによって、この指示が与えられたと判断すればよい。
【００３６】
また、例えば、発表者が「Ｈｏｍｅキー」を押下することによって、既に表示されたスライドのうちで最初に表示されたスライドを表示するようにもできる。あるいは、「シフトキー」と「Ｈｏｍｅキー」を同時に押下することによって、既に表示された実績のあるスライドのうちで最後に表示されたスライドを表示するようにしてもよい。
【００３７】
他にも、「下矢印キー」または「上矢印キー」を押下したままにしたときに、しきい値に相当する時間間隔でページめくりを行うようにしてもよい。このときにページ送りされたスライドを、後で第１のスキップ表示命令が指示されたときの、表示されないスライドとみなすこともできる。表示をスキップさせるには、例えば第１のスキップ表示命令が指示されたときは表示しない旨のフラグ情報を設けるか、あるいはしきい値に相当する時間間隔でページめくりを行う代わりに、しきい値が示す時間より短い時間間隔でページめくりを行うようにすればよい。
【００３８】
さらに、例えば、「シフトキー」を押下したまま、「上矢印キー」をｎ回押下したとき、しきい値が示す時間に満たない期間しか表示されていなかったスライドを省いたあとの、しきい値が示す時間以上の期間表示されたもののうちで過去ｎ回前のスライドを表示するような設定も可能である。
【００３９】
なお、上記の機能の全部又は一部を適宜組み合わせて使用してもよい。
【００４０】
また、上記の機能において、キーの設定／操作方法は、一例であり、他のキー設定／操作方法でも構わない。また、発表者がキーの設定／操作方法を適宜設定できるようにすると発表者自身の負担軽減にとってより好ましい。
【００４１】
もちろん、上記の機能は一例であり、他にも種々の方法が可能である。
【００４２】
図４に、第１の実施形態における発表者からページめくりに関する指示が与えられた場合の手順の一例を示す。発表者からページめくりに関する指示が与えられた場合（ステップＳ１１）、前スライド表示命令ならば（ステップＳ１２）現在表示中のスライドの前ページに該当するスライドを他の情報端末機器へ送信し表示させる（ステップＳ１３）。次スライド表示命令であったならば（ステップＳ１４）、現在表示されているスライドの次ページに該当するスライドを他の情報端末機器へ送信し表示させる（ステップＳ１５）。また、第１のスキップ表示命令ならば（ステップＳ１６）、現在表示中のスライドより以前にしきい値が示す時間以上の期間表示されたスライドのうちで、一番新しいものを他の情報端末機器へ送信し表示させる（ステップＳ１７）。第２のスキップ表示命令ならば（ステップＳ１８）、現在表示中のスライドより以降の順番で既にしきい値が示す時間以上の期間表示されたスライドのうちで、一番古いものを他の情報端末機器へ送信し表示させる（ステップＳ１９）。なお、それ以外の指示ならば（ステップＳ１８）各指示に応じた処理を行う（ステップＳ２０）。
【００４３】
ここで、図５のスライドの遷移を示した具体例を参照しながら説明する。
【００４４】
例えば、図５（ａ）のように、発表者が、次スライド表示命令により、スライドａ〜ｈを１枚ずつページめくりさせながらプレゼンテーションを行い、スライドｈの表示がなされたところで、スライドａ，ｃ，ｄ，ｈのみがしきい値が示す時間以上の期間表示されたものであったとする。
【００４５】
この場合、発表者は、図５（ａ）のように、前スライド表示命令や次スライド表示命令により、スライドを前後に１枚ずつページめくりすることができる。また、図５（ｂ）のように、第１のスキップ表示命令や第２のスキップ表示命令により、しきい値が示す時間以上の期間表示されたスライドａ，ｃ，ｄ，ｈのみを対象範囲としてその範囲内でスライドを前後に１枚ずつページめくりすることができる。
【００４６】
もちろん、前スライド表示命令、次スライド表示命令、第１のスキップ表示命令、第２のスキップ表示命令を任意に使用することができる。例えば、図５（ｃ）のように、第１のスキップ表示命令によって、スライドｈから一挙にスライドｄにスキップして表示させた後、前スライド表示命令により、スライドｅ，ｆ，ｇ，ｈのように１枚ずつページめくりしてスライドｈに戻ることもできる。
【００４７】
以上説明してきたように、本実施形態のプレゼンテーション装置では、しきい値が示す時間に満たない期間しか表示されなかったスライドを表示せずに飛ばすことにより発表者の操作が減るため、発表者の負担低減および発表の円滑化が図られる。
【００４８】
（第２の実施形態）
第２の実施形態は、第１の実施形態において各スライドの表示時間がしきい値が示す時間以上の期間表示されたか否かを判断基準としたところを、発表者の音声による発表がなされたか否かを判断基準としたものである。
【００４９】
図６に、本発明の第２の実施形態に係る端末２１の構成例を示す。
【００５０】
図６に示されるように、本実施形態の端末２１は、格納部２２、表示部２３、通信部２４、検出部２５、発表有無記憶部２６、発表条件選択表示部２７を有する。
【００５１】
端末２１は本発明の実施形態に係るプレゼンテーション装置として使用するもので、例えばノートパソコンやＰＤＡが代表的である。端末２１は発表のさいに発表者がプロジェクターやＣＲＴなどの表示装置に表示される情報を操作できる情報機器であればよいので、ここに挙げたものに限定されるものではない。
【００５２】
格納部２２は、スライドのデータを格納する。本実施形態では、予めプロジェクター等に表示する順番を定められた一連の複数のスライドデータが格納されているものとして説明する。
【００５３】
表示部２３は、例えば発表者から送られてくるページめくりの指示などに応じて、次に表示すべきスライドデータを格納部２２から読み出し、通信部２４へ送信する。さらに検出部２５へ、特定のスライドについて発表者が音声によって説明をしたかどうかをその結果とする「表示の有無」の検出要求を行う。加えて発表有無記憶部２６へスライド名を入力する。
【００５４】
通信部２４は、スライドの表示を行う他の情報端末機器、例えばプロジェクター等（図示せず）へ、表示部２３から受け取ったスライドデータを送信する。通信手段としては、例えば、ＶＧＡケーブル、ＵＳＢケーブル等の有線によるものや、あるいは８０２．１１ｂといった通信規格による無線ＬＡＮ、主に小規模無線通信に使用されるＢｌｕｅｔｏｏｔｈ、赤外線を使用したＩｒＤＡ(Infrared Data Association)等の無線による通信手段が用いられる。
【００５５】
検出部２５は、例えば発表者により発声された音声を入力するためのマイクの入力情報から、現在表示されているスライドが発表者によって何らかの説明が加えられたかどうかを判定し、発表がなされた旨を示す値または発表がなされなかった旨を示す値のいずれかの値を出力する。検出した値は、発表有無記憶部２６へ出力され記憶される。
【００５６】
各スライドについての発表の有無の判定には、例えば、次のような方法が考えられる。
【００５７】
（１）マイク等が音を拾ったかどうかにより判定する方法  
例えば、マイク等からの入力音声の音量と、予め定めておいたノイズを除去するためのしきい値が示す音量とを比較し、前者の値が後者の値を越える場合に発表有と判定し、そうでない場合に、発表無しと判定する方法である。
【００５８】
（２）発表者の音量であるかどうかにより判定する方法  
例えば、マイク等からの入力音声の音量と、予め用意しておいた発表者の音量とを比較し、前者の値が後者の値を基準として一定の許容範囲内にある場合に発表有と判定し、そうでない場合に、発表無しと判定する方法である。なお、この方法の場合には、発表者の音量かどうかを判断するために、発表者は発表前にあらかじめ、発表時の音量でマイクに音声を入力し、端末２１に発表者の音量を記憶させておく。
【００５９】
（３）スライドに記述してある文字列を読んだかどうかにより判定する方法  
例えば、マイク等からの入力音声を音声認識した結果と、スライドに記述されている文字列とを比較し、スライドに記述されている文字列が発生されたと判断される場合に発表有と判定し、そうでない場合に、発表無しと判定する方法である。判断には例えば、音声認識した結果に、スライドに記述されている文字列の全部又は一定割合以上が含まれるか否かを基準とすることができる。
【００６０】
（４）発表者の音声かどうかにより判定する方法  
例えば、マイク等からの入力音声を音声認識処理して抽出した特徴と、予め用意しておいた発表者の音声を音声認識処理して抽出した特徴とを比較し、マイク等からの入力音声が発表者の音声かどうかを判定する方法である。発表者の音声であったと判定した場合には発表したものと判定し、そうでない場合には発表していないものと判定する。判定には例えば、音声認識処理して得られた特徴間の類似度が、基準値以上か否かを基準とすることができる。
【００６１】
なお、この方法の場合には、発表者の音声かどうかを判断するために、発表者は発表前にあらかじめ、発表時の音量でマイクに音声を入力し、端末２１に発表者の音声を記憶させておく。
【００６２】
もちろん、上記の他にも、種々の方法が可能である。
【００６３】
発表有無記憶部２６は、検出部２５が出力した発表の有無を示す値（以下、発表有無情報）と、表示部２３が入力したスライド名と、表示した順番（送信した順番）を示す表示番号とを記憶する。
【００６４】
図７に、表示時間記憶部２６の構成例を示す。図７に示されるように、表示時間記憶部２６は、表示番号、スライド名、発表有無情報を項目とする発表有無表２６１を保持する。また、表示時間記憶部２６は、発表有無表２６１に保持した情報を所定の条件により検索する検索部２６２を持つ。
【００６５】
なお、発表有無表２６１の作成の方法では、表示した全てのスライドに関する情報を記憶する代わりに、発表がなされたと判断された、すなわち、発表有無情報に発表有を持つスライドに関する情報のみを記憶する方法も可能である。この場合には、発表有無表２６１において発表有無の情報を省略してもよい。
【００６６】
また、表示時間記憶部２６は、発表条件選択表示部２７からの要求に応じて検索部２６２により発表有無表２６１から送信すべきスライドを求める。求めたスライドについては、表示部２３に対し表示要求をする。
【００６７】
発表条件選択表示部２７は、発表者が音声によって発表がなされたスライドを選択する機能を持つ。例えば発表者からの発表がなされたスライドのみを対象とするページめくりの指示があったとき、発表者の音声による発表がなされたと判断された、すなわち、発表有無情報に発表有の情報を持つスライドのうち、現在表示中のスライドからみて以前の直近のスライド、あるいは以後の直近のスライドを、発表有無記憶部２６へ要求する。
【００６８】
図８に、第２の実施形態におけるスライドの送信から情報の記憶までの手順の一例を示す。この手順は、表示されるスライドのそれぞれについて行われる。まず次に表示すべきスライドを通信部２４から他の情報端末機器へ送信する（ステップＳ３１）。検出部２５は、現在表示されているスライドの発表の有無を求め（ステップＳ３２）、表示時間記憶部２６に、発表の有無を示した情報とスライド名および表示番号とを対応付けて記憶する（ステップＳ３３）。
【００６９】
ここでは、発表の有無の検出やその情報の記憶は、各スライドが、端末から他の情報機器端末へ最初に送信・表示されたときに行うものとしている。発表の中で同じスライドが複数回表示されるような場合には、スライドが他の情報機器端末へ送信要求や表示要求されるごとに発表の有無を検出し、すでに記憶した情報の更新を行うようにしてもよい。例えば、それまで発表無しで記憶されており、かつ発表有りが検出された場合にのみ更新する方法などが考えられる。
【００７０】
表示部２３に対するページめくりの指示や、発表条件選択表示部２７に対する発表がなされたスライドのみを対象とするページめくりの指示などは、第１の実施形態と同様、キーボードやマウスを操作して容易に与えることができる。
【００７１】
具体例については、第１の実施形態と基本的には同様であり、例えば、キーボードの入力では、１枚ずつのページめくりの指示の例として、「上矢印キー」を「前スライド表示命令」、「下矢印キー」を「次スライド表示命令」にそれぞれ対応させることができる。発表がなされたスライドのみを対象とするページめくりの指示の例として、「シフトキー」と「上矢印キー」の同時押下を「現在表示中のスライドより以前に発表がなされたスライドのうちで一番新しいものを表示する命令（以下、第３のスキップ表示命令）」に対応させることができる。そうすれば、発表者が「上矢印キー」または「下矢印キー」を押下した場合には、前または次のページのスライドが表示され、一方、発表者が「シフトキー」と「上矢印キー」を同時に押下した場合には、過去に発表がなされたスライドのうちで一番新しいものが表示されるようにすることができる。このとき過去に発表されなかったスライドがあれば、そのスライドの表示は省かれる。
【００７２】
これに加えて、例えば「シフトキー」と「下矢印キー」の同時押下を「現在表示中のスライドより以降の順番で既に発表がなされたスライドのうちで、一番古いものを表示する命令（以下、第４のスキップ表示命令）」に対応させることもできる。そうすれば、発表者が「シフトキー」と「下矢印キー」を同時に押下したことによって、この指示が与えられたと判断できる。
【００７３】
また、例えば、発表者が「Ｈｏｍｅキー」を押下することによって、既に表示されたスライドのうちで最初に表示されたスライドを表示するようにもできる。あるいは、「シフトキー」と「Ｈｏｍｅキー」を同時に押下することによって、既に音声による発表がされた実績のあるスライドのうちで最後に表示されたスライドを表示するようにしてもよい。
【００７４】
他にも、「下矢印キー」または「上矢印キー」を押下したままにしたときに、一定時間間隔でページめくりを行うようにしてもよい。このときページ送りされたスライドを、後で第３のスキップ表示命令が指示されたときの、表示されないスライドとみなすこともできる。スキップさせるには、例えば第３のスキップ表示命令が指示されたときは表示しない旨のフラグ情報を設けるか、あるいはページめくりに要する一定の時間間隔よりも、さらに短い時間間隔でページめくりを行うようにすればよい。
【００７５】
さらに、例えば、「シフトキー」を押下したまま、「上矢印キー」をｎ回押下したとき、発表がなされたもののうちで過去ｎ回前のスライドを表示するような設定も可能である。
【００７６】
なお、上記の機能の全部又は一部を適宜組み合わせて使用してもよい。
【００７７】
また、上記の機能において、キーの設定／操作方法は、一例であり、他のキー設定／操作方法でも構わない。また、発表者がキーの設定／操作方法を適宜設定できるようにすると発表者自身の負担軽減にとってより好ましい。
【００７８】
もちろん、上記の機能は一例であり、他にも種々の方法が可能である。
【００７９】
図９に、第２の実施形態における発表者からページめくりに関する指示が与えられた場合の手順の一例を示す。発表者からページめくりに関する指示が与えられた場合（ステップＳ４１）、前スライド表示命令ならば（ステップＳ４２）現在表示中のスライドの前ページに該当するスライドを他の情報端末機器へ送信し表示させる（ステップＳ４３）。次スライド表示命令であったならば（ステップＳ４４）、現在表示されているスライドの次ページに該当するスライドを他の情報端末機器へ送信し表示させる（ステップＳ４５）。また、第３のスキップ表示命令ならば（ステップＳ４６）、現在表示中のスライドより以前に発表がなされたスライドのうちで、一番新しいものを他の情報端末機器へ送信し表示させる（ステップＳ４７）。第４のスキップ表示命令ならば（ステップＳ４８）、現在表示中のスライドより以降の順番で既に発表がなされたスライドのうちで、一番古いものを他の情報端末機器へ送信し表示させる（ステップＳ４９）。なお、それ以外の指示ならば（ステップＳ４８）各指示に応じた処理を行う（ステップＳ５０）。
【００８０】
ここで、図５のスライドの遷移を示した具体例を参照しながら説明する。
【００８１】
例えば、図５（ａ）のように、発表者が、次スライド表示命令により、スライドａ〜ｈを１枚ずつページめくりさせながらプレゼンテーションを行い、スライドｈの表示がなされたところで、スライドａ，ｃ，ｄ，ｈのみが発表がなされたものであったとする。
【００８２】
この場合、発表者は、図５（ａ）のように、前スライド表示命令や次スライド表示命令により、スライドを前後に１枚ずつページめくりすることができる。また、図５（ｂ）のように、第１のスキップ表示命令や第２のスキップ表示命令により、発表がなされたスライドａ，ｃ，ｄ，ｈのみを対象範囲としてその範囲内でスライドを前後に１枚ずつページめくりすることができる。
【００８３】
もちろん、前スライド表示命令、次スライド表示命令、第１のスキップ表示命令、第２のスキップ表示命令を任意に使用することができる。例えば、図５（ｃ）のように、第１のスキップ表示命令によって、スライドｈから一挙にスライドｄにスキップして表示させた後、前スライド表示命令により、スライドｅ，ｆ，ｇ，ｈのように１枚ずつページめくりしてスライドｈに戻ることもできる。
【００８４】
以上説明してきたように、本実施形態のプレゼンテーション装置では、発表がなされなかったスライドを表示せずに飛ばすことにより発表者の操作が減るため、発表者の負担低減および発表の円滑化が図られる。
【００８５】
ところで、これまで説明してきた第１の実施形態と第２の実施形態とを組み合わせて実施することも可能である。
【００８６】
第１の実施形態では、表示時間がしきい値が示す時間以上の期間表示されたという第１の条件を満たすスライド以外のスライドを、表示せずにスキップさせる対象としている。第２の実施形態では、それぞれのスライドが音声によって発表されたという第２の条件を満たすスライド以外のスライドを、表示せずにスキップさせる対象としている。
【００８７】
このとき、例えば、第１の条件と第２の条件の少なくとも一方を満たすスライドを表示の対象とし、それら条件のいずれも満たさないスライドをスキップさせて表示させないようにしてもよい。また、例えば、第１の条件と第２の条件の両方を満たすスライドのみを表示の対象とし、それら条件の一方でも満たさないスライドはスキップさせて表示させないようにしてもよい。
【００８８】
また、（１）第１の条件を満たすスライドを、表示の対象とする、（２）第２の条件を満たすスライドを、表示の対象とする、（３）第１の条件と第２の条件の少なくとも一方を満たすスライドを、表示の対象とする、（４）第１の条件と第２の条件の両方を満たすスライドを、表示の対象とする、のうちから、発表者等が適宜選択できるようにしてもよい。
【００８９】
（第３の実施形態）
第１、第２の実施形態は、各スライドは端末からプロジェクター等の他の情報端末機器へ送信されて表示され、表示されたスライドのうち所定の条件を満たすものをスキップ表示の対象とするものである。第３の実施形態では、端末の表示画面に表示されたスライドのうち所定の条件を満たすものをプロジェクター等の他の情報端末機器へ送信して表示させるものである。
【００９０】
図１０に、本発明の第３の実施形態に係る端末１１の構成例を示す。
【００９１】
図１０に示されるように、本実施形態の端末３１は、格納部３２、表示部３３、通信部３４、計測部３５、時間条件送信部３６を有する。
【００９２】
端末３１は本発明の実施形態に係るプレゼンテーション装置として使用するもので、例えばノートパソコンやＰＤＡが代表的である。端末３１は発表のさいに発表者がプロジェクターやＣＲＴなどの表示装置に表示される情報を操作できる情報機器であればよいので、ここに挙げたものに限定されるものではない。
【００９３】
格納部３２は、スライドのデータを格納する。本実施形態では、予めプロジェクター等に表示する順番を定められた一連の複数のスライドデータが格納されているものとして説明する。
【００９４】
表示部３３は、例えば発表者から送られてくるページめくりの指示などに応じて、次に表示すべきスライドデータを格納部３２から読み出し、自らが備える図示しない表示画面へ表示する。さらに計測部３５へ、特定のスライドが備える表示装置に表示され続けている時間である「表示時間」の計測要求を行う。
【００９５】
また、時間条件送信部３６から現在表示されているスライドをプロジェクターなどの情報端末機器への送信要求を受けたときは、通信部３４に送信すべきスライドのデータを送信する。
【００９６】
通信部３４は、スライドの表示を行う他の情報端末機器、例えばプロジェクター等（図示せず）へ、表示部３３から受け取ったスライドデータを送信する。通信手段としては、例えば、ＶＧＡケーブル、ＵＳＢケーブル等の有線によるものや、あるいは８０２．１１ｂといった通信規格による無線ＬＡＮ、主に小規模無線通信に使用されるＢｌｕｅｔｏｏｔｈ、赤外線を使用したＩｒＤＡ(Infrared Data Association)等の無線による通信手段が用いられる。
【００９７】
計測部３５は、スライドが表示され続けていた時間を計測する。スライドが表示されてから次のスライドが表示されるまでの「表示時間」を計測する方法としては、例えば、あるスライドについて、前述した表示部３３からの計測要求があってから、次のスライドについての計測要求があるまでの経過時間を計測する方法である。そしてこの計測結果を現在表示しているスライドの表示時間とみなすのである。計測後、求められた表示時間を時間条件送信部３６へ送信する。
【００９８】
時間条件送信部３６はプロジェクターなどの情報端末機器に特定のスライドを送るかどうかの判断を行う。時間条件送信部３６は、予め設定された時間を示すしきい値を持つ。表示するスライドごとに、計測部３５から得られた表示時間とこの設定されたしきい値を比較し、しきい値が示す時間よりも表示時間が長いと判断されたものは送信対象のスライドと判断する。逆にしきい値が示す時間よりも短い表示時間であったときは、そのスライドは送信する必要がないものと判断する。
【００９９】
このしきい値は発表者が自由に設定を変えられることが望ましい。
【０１００】
また、このしきい値に相当する時間を自動的に測定する方法も可能である。例えば、端末３１にしきい値の測定をする動作状態を設け、発表者は、例えばマウスで「次ページのスライドを表示する命令」に対応するボタンをクリックし一定のリズムで何枚か連続してページめくりを行う。計測部３５はその間ページめくりに要する時間間隔を計測し、合計表示時間を延べページ表示枚数で割る。するとこの値がページめくりに要する時間間隔の平均値となる。よってこの値を基に先に述べたしきい値を決定すればよい。
【０１０１】
また、上記のしきい値の設定は発表者が行うもの、あるいは自動で設定されるもの、または両方の設定が可能なもののどれであってもかまわない。
【０１０２】
図１１に、本実施形態にかかる、スライドが自らが備える表示画面に表示されてから他の情報端末機器へ送信されあるいは送信させずに終わるまでの処理手順の一例を示す。すなわち、例えば発表者のページめくり指示などによって自端末の表示画面に新たにスライドが表示されたならば（ステップＳ６１）、計測部３５は当該スライド表示の表示時間の計測を開始する（ステップＳ６２）。
【０１０３】
そして、表示時間がしきい値が示す時間に達する前に自らが備える表示画面への該スライドの表示が終了したならば（ステップＳ６３，Ｓ６４）、該スライドは他の情報端末機器へ送信されない。なお、他のスライドが自らが備える表示画面に表示されたために、該スライドの表示が終了した場合には、計測部３５は当該他のスライド表示について表示時間の計測を開始する（ステップＳ６１，Ｓ６２）。
【０１０４】
一方、当該スライドの表示が終了する前に、表示時間がしきい値が示す時間に達したならば（ステップＳ６３，Ｓ６４）、該スライドを他の情報端末機器へ送信し表示させることができる。
【０１０５】
表示部３３に対するページめくりの指示は、第１、第２の実施形態と同様、例えば、キーボードやマウスを操作して容易に与えることができる。
【０１０６】
具体例については、例えば、キーボードの入力では、「上矢印キー」を「前スライド表示命令」、「下矢印キー」を「次スライド表示命令」に対応させることができる。すると発表者が「上矢印キー」または「下矢印キー」を押下したときには、発表者の端末の表示画面へ前ページまたは次ページのスライドが表示される。しかしながらこの時点ではまだ、現在表示しているスライドは他の情報端末機器へ送信されない。そして、該スライドが自らが備える表示画面にしきい値が示す時間以上の期間表示された場合に限り、プロジェクター等の他の情報端末機器へのスライドの送信が行われる。
【０１０７】
また、「上矢印キー」を押下したまま連続的にページをめくる（以下、「第１の連続表示命令」）、あるいは「下矢印キー」を押下したままページを戻す（以下、「第２の連続表示命令」）ときは、自らが備える表示画面へのスライド表示時間を、しきい値が示す時間よりも短く設定してもよい。
【０１０８】
このとき、キーを離したときに表示されるスライド以外については、一枚のスライドあたりの表示時間がしきい値が示す時間に達しない。よって連続表示をする限りにおいてはスライドのデータがいちいち送信されることがなく、それに費やす不要な時間もかからない。例えばプロジェクターに送る必要の無いスライドは、この機能を使用することで自らが備える表示装置上で確認しながら次に表示したいスライドを迅速に見つけ出すことができる。表示したいスライドが表示されたら所定のしきい値が示す時間、そのスライドを表示したままにする。するとその後スライドのデータが送信され、プロジェクターなどで表示がされる。
【０１０９】
なお、上記の機能の全部又は一部を適宜組み合わせて使用してもよい。
【０１１０】
また、上記の機能において、キーの設定／操作方法は、一例であり、他のキー設定／操作方法でも構わない。また、発表者がキーの設定／操作方法を適宜設定できるようにすると発表者自身の負担軽減にとってより好ましい。
【０１１１】
もちろん、上記の機能は一例であり、他にも種々の方法が可能である。
【０１１２】
図１２に、第３の実施形態における発表者からページめくりに関する指示が与えられた場合の手順の一例を示す。発表者からページめくりに関する指示が与えられた場合（ステップＳ７１）、前スライド表示命令ならば（ステップＳ７２）現在表示中のスライドの前ページに該当するスライドを他の情報端末機器へ送信し表示させる（ステップＳ７３）。次スライド表示命令であったならば（ステップＳ７４）、現在表示されているスライドの次ページに該当するスライドを他の情報端末機器へ送信し表示させる（ステップＳ７５）。また、第１の連続表示命令ならば（ステップＳ７６）、スライド１枚につきしきい値が示す時間よりも短い表示間隔で、現在表示中のスライドより以前のスライドを自らが備える表示装置に順次連続して表示させる（ステップＳ７７）。第２の連続表示表示命令ならば（ステップＳ７８）、スライド１枚につきしきい値が示す時間よりも短い表示間隔で、現在表示中のスライドより以降の順番が与えられたスライドを自らが備える表示装置に順次連続して表示させる（ステップＳ７９）。なお、それ以外の指示ならば（ステップＳ８０）各指示に応じた処理を行う（ステップＳ８０）。
【０１１３】
発表者は上記のような指示を適宜使用し、個々のスライドを端末が備える表示画面へしきい値が示す時間以上の期間表示させることによって、特定のスライドを他の情報端末機器へ送信し表示させることができる。
【０１１４】
以上説明してきたように、本実施形態のプレゼンテーション装置では、端末自らが備える表示画面にしきい値が示す時間よりも短い期間しか表示されなかったスライドのデータを他の情報端末機器へ送信しない。よって通信データ量を減らし、かつ１枚のスライドが表示されるまでの時間が短縮できることから、発表の際の不要な時間が減り、全体として発表を円滑に行える。
【０１１５】
なお、第１の実施形態と第３の実施形態と組み合わせて実施することも可能であり、第２の実施形態を第３の実施形態と組み合わせて実施することも可能であり、第１〜第３の実施形態を組み合わせて実施することも可能である。
【０１１６】
なお、以上の各機能は、ソフトウェアとして記述し適当な機構をもったコンピュータに処理させても実現可能である。また、本実施形態は、コンピュータに所定の手段を実行させるための、あるいはコンピュータを所定の手段として機能させるための、あるいはコンピュータに所定の機能を実現させるためのプログラムとして実施することもできる。加えて該プログラムを記録したコンピュータ読取り可能な記録媒体として実施することもできる。
【０１１７】
なお、この発明の実施の形態で例示した構成は一例であって、それ以外の構成を排除する趣旨のものではなく、例示した構成の一部を他のもので置き換えたり、例示した構成の一部を省いたり、例示した構成に別の機能あるいは要素を付加したり、それらを組み合わせたりすることなどによって得られる別の構成も可能である。また、例示した構成と論理的に等価な別の構成、例示した構成と論理的に等価な部分を含む別の構成、例示した構成の要部と論理的に等価な別の構成なども可能である。また、例示した構成と同一もしくは類似の目的を達成する別の構成、例示した構成と同一もしくは類似の効果を奏する別の構成なども可能である。  
また、この発明の実施の形態で例示した各種構成部分についての各種バリエーションは、適宜組み合わせて実施することが可能である。  
また、この発明の実施の形態は、個別装置としての発明、関連を持つ２以上の装置についての発明、システム全体としての発明、個別装置内部の構成部分についての発明、またはそれらに対応する方法の発明等、種々の観点、段階、概念またはカテゴリに係る発明を包含・内在するものである。  
従って、この発明の実施の形態に開示した内容からは、例示した構成に限定されることなく発明を抽出することができるものである。
【０１１８】
本発明は、上述した実施の形態に限定されるものではなく、その技術的範囲において種々変形して実施することができる。
【図面の簡単な説明】
【０１１９】
【図１】本発明の第１の実施形態に係るプレゼンテーション装置の構成例を示す図
【図２】同実施形態に係る表示時間記憶部の構成例を示す図
【図３】同実施形態における処理手順例を示すフローチャート
【図４】同実施形態における処理手順例を示すフローチャート
【図５】同実施形態におけるページめくり操作について説明するための図
【図６】本発明の第２の実施形態に係るプレゼンテーション装置の構成例を示す図
【図７】同実施形態に係る発表有無記憶部の構成例を示す図
【図８】同実施形態における処理手順例を示すフローチャート
【図９】同実施形態における処理手順例を示すフローチャート
【図１０】本発明の第３の実施形態に係るプレゼンテーション装置の構成例を示す図
【図１１】同実施形態における処理手順例を示すフローチャート
【図１２】同実施形態における処理手順例を示すフローチャート
【符号の説明】
【０１２０】
１１，２１，３１…端末、１２，２２，３２…格納部、１３，２３，３３…表示部、１４，２４，３４…通信部、１５，３５…計測部、１６…表示時間記憶部、１６１…表示時間表、１６２，２６２…検索部、１７…時間条件選択表示部、２５…検出部、２６…発表有無記憶部、２６１…発表有無表、２７…発表条件選択表示部、３６…時間条件送信部
【図１】
2005331960.tif 000003
【図２】
2005331960.tif 000004
【図３】
2005331960.tif 000005
【図４】
2005331960.tif 000006
【図５】
2005331960.tif 000007
【図６】
2005331960.tif 000008
【図７】
2005331960.tif 000009
【図８】
2005331960.tif 000010
【図９】
2005331960.tif 000011
【図１０】
2005331960.tif 000012
【図１１】
2005331960.tif 000013
【図１２】
2005331960.tif 000014